(57)【要約】【課題】ドラマや映画などのジャンルのテレビジョン放送番組について、容易にストーリー把握ができるようなダイジェストを生成する。【解決手段】字幕情報を含むテレビジョン放送番組のダイジェストを生成する装置（６０Ａ）において、文字数算出部（６２）は、字幕情報に基づいて、一定時間の区間ごとに当該区間において表示される字幕の文字数を算出する。ダイジェストシーン特定部（６４）は、算出された文字数と閾値とを比較し、算出された文字数が閾値を超えている区間をテレビジョン放送番組のダイジェストシーンと特定する。【選択図】図１
2008306311.tif 000002
【特許請求の範囲】
【請求項１】
字幕情報を含むテレビジョン放送番組のダイジェストを生成する装置であって、
前記字幕情報に基づいて、一定時間の区間ごとに当該区間において表示される字幕の文字数を算出する文字数算出部と、
前記算出された文字数と閾値とを比較し、前記算出された文字数が前記閾値を超えている区間を前記テレビジョン放送番組のダイジェストシーンと特定するダイジェストシーン特定部とを備えた
ことを特徴とするダイジェスト生成装置。
【請求項２】
請求項１に記載のダイジェスト生成装置において、
前記文字数算出部は、前記テレビジョン放送番組が記録されるのと並行して、前記文字数を算出するものであり、
前記ダイジェストシーン特定部は、前記テレビジョン放送番組が記録されるのと並行して、前記特定した区間に係る情報を記録する
ことを特徴とするダイジェスト生成装置。
【請求項３】
請求項１に記載のダイジェスト生成装置において、
前記文字数算出部は、前記字幕情報に基づいて発話者を識別し、当該識別した発話者ごとに前記文字数を算出するものであり、
前記ダイジェストシーン特定部は、前記識別された発話者ごとに前記算出された文字数と当該発話者に係る閾値とを比較し、前記識別された発話者のいずれかについての前記算出された文字数が当該発話者に係る閾値を超えている区間を前記テレビジョン放送番組のダイジェストシーンと特定する
ことを特徴とするダイジェスト生成装置。
【請求項４】
請求項３に記載のダイジェスト生成装置において、
前記文字数算出部は、前記字幕情報から字幕の文字色に係る情報又は字幕に付された文字情報を取得し、当該文字色に係る情報又は文字情報によって発話者を識別する
ことを特徴とするダイジェスト生成装置。
【請求項５】
請求項１及び３のいずれか一つに記載のダイジェスト生成装置において、
前記ダイジェストシーン特定部によって特定された区間の時間を合計して当該合計時間と指示された時間とを比較し、当該比較結果に応じて前記閾値を変更する閾値設定部を備え、
前記ダイジェストシーン特定部は、前記閾値が変更されたとき、前記区間を再特定する
ことを特徴とするダイジェスト生成装置。
【請求項６】
請求項１に記載のダイジェスト生成装置において、
前記ダイジェストシーン特定部は、前記算出された文字数と複数の閾値のそれぞれとを比較して、当該閾値別に、前記算出された文字数が当該閾値を超えている区間を特定するものであり、
前記ダイジェストシーン特定部によって特定された区間の時間を前記閾値別に合計して当該合計時間のそれぞれと指示された時間とを比較し、前記閾値別に特定された区間の組のうち前記合計時間が前記指示された時間以内であるものを、前記テレビジョン放送番組のダイジェストとして選択するダイジェスト選択部を備えた
ことを特徴とするダイジェスト生成装置。
【請求項７】
請求項１に記載のダイジェスト生成装置において、
前記文字数算出部は、前記テレビジョン放送番組が記憶手段から読み出されて再生されているとき、前記字幕情報を先読みして前記文字数を算出する
ことを特徴とするダイジェスト生成装置。
【請求項８】
字幕情報を含むテレビジョン放送番組のダイジェストを生成する方法であって、
前記字幕情報に基づいて、一定時間の区間ごとに当該区間において表示される字幕の文字数を算出する第１のステップと、
前記算出された文字数と閾値とを比較し、前記算出された文字数が前記閾値を超えている区間を前記テレビジョン放送番組のダイジェストシーンと特定する第２のステップとを備えた
ことを特徴とするダイジェスト生成方法。
【請求項９】
請求項８に記載のダイジェスト生成方法において、
前記第１のステップでは、前記テレビジョン放送番組が記録されるのと並行して、前記文字数が算出され、
前記第２のステップでは、前記テレビジョン放送番組が記録されるのと並行して、前記特定した区間に係る情報が記録される
ことを特徴とするダイジェスト生成方法。
【請求項１０】
請求項８に記載のダイジェスト生成方法において、
前記第１のステップでは、前記字幕情報に基づいて発話者が識別され、当該識別された発話者ごとに前記文字数が算出され、
前記第２のステップでは、前記識別された発話者ごとに前記算出された文字数と当該発話者に係る閾値とが比較され、前記識別された発話者のいずれかについての前記算出された文字数が当該発話者に係る閾値を超えている区間が前記テレビジョン放送番組のダイジェストシーンと特定される
ことを特徴とするダイジェスト生成方法。
【請求項１１】
請求項１０に記載のダイジェスト生成方法において、
前記第１のステップでは、前記字幕情報から字幕の文字色に係る情報又は字幕に付された文字情報が取得され、当該文字色に係る情報又は文字情報によって発話者が識別される
ことを特徴とするダイジェスト生成方法。
【請求項１２】
請求項８及び１０のいずれか一つに記載のダイジェスト生成方法において、
前記第２のステップで特定された区間の時間を合計して当該合計時間と指示された時間とを比較し、当該比較結果に応じて前記閾値を変更する第３のステップを備え、
前記第２のステップでは、前記閾値が変更されたとき、前記区間が再特定される
ことを特徴とするダイジェスト生成方法。
【請求項１３】
請求項８に記載のダイジェスト生成方法において、
前記第２のステップでは、前記算出された文字数と複数の閾値のそれぞれとが比較され、当該閾値別に、前記算出された文字数が当該閾値を超えている区間が特定され、
前記第２のステップで特定された区間の時間を前記閾値別に合計して当該合計時間のそれぞれと指示された時間とを比較し、前記閾値別に特定された区間の組のうち前記合計時間が前記指示された時間以内であるものを、前記テレビジョン放送番組のダイジェストとして選択する第３のステップを備えた
ことを特徴とするダイジェスト生成方法。
【請求項１４】
請求項８に記載のダイジェスト生成方法において、
前記第１のステップでは、前記テレビジョン放送番組が記憶手段から読み出されて再生されているとき、前記字幕情報が先読みされて前記文字数が算出される
ことを特徴とするダイジェスト生成方法。
【請求項１５】
コンピュータに、字幕情報を含むテレビジョン放送番組のダイジェストを生成させるプログラムであって、
前記字幕情報に基づいて、一定時間の区間ごとに当該区間において表示される字幕の文字数を算出する文字数算出手段、及び
前記算出された文字数と閾値とを比較し、前記算出された文字数が前記閾値を超えている区間を前記テレビジョン放送番組のダイジェストシーンと特定するダイジェストシーン特定手段として、コンピュータを機能させる
ことを特徴とするダイジェスト生成プログラム。
【請求項１６】
請求項１５に記載のダイジェスト生成プログラムにおいて、
前記文字数算出手段は、前記テレビジョン放送番組が記録されるのと並行して、前記文字数を算出するものであり、
前記ダイジェストシーン特定手段は、前記テレビジョン放送番組が記録されるのと並行して、前記特定した区間に係る情報を記録する
ことを特徴とするダイジェスト生成プログラム。
【請求項１７】
請求項１５に記載のダイジェスト生成プログラムにおいて、
前記文字数算出手段は、前記字幕情報に基づいて発話者を識別し、当該識別した発話者ごとに前記文字数を算出するものであり、
前記ダイジェストシーン特定手段は、前記識別された発話者ごとに前記算出された文字数と当該発話者に係る閾値とを比較し、前記識別された発話者のいずれかについての前記算出された文字数が当該発話者に係る閾値を超えている区間を前記テレビジョン放送番組のダイジェストシーンと特定する
ことを特徴とするダイジェスト生成プログラム。
【請求項１８】
請求項１７に記載のダイジェスト生成プログラムにおいて、
前記文字数算出手段は、前記字幕情報から字幕の文字色に係る情報又は字幕に付された文字情報を取得し、当該文字色に係る情報又は文字情報によって発話者を識別する
ことを特徴とするダイジェスト生成プログラム。
【請求項１９】
請求項１５及び１７のいずれか一つに記載のダイジェスト生成プログラムにおいて、
前記ダイジェストシーン特定手段によって特定された区間の時間を合計して当該合計時間と指示された時間とを比較し、当該比較結果に応じて前記閾値を変更する閾値設定手段として、コンピュータを機能させ、
前記ダイジェストシーン特定手段は、前記閾値が変更されたとき、前記区間を再特定する
ことを特徴とするダイジェスト生成プログラム。
【請求項２０】
請求項１５に記載のダイジェスト生成プログラムにおいて、
前記ダイジェストシーン特定手段は、前記算出された文字数と複数の閾値のそれぞれとを比較して、当該閾値別に、前記算出された文字数が当該閾値を超えている区間を特定するものであり、
前記ダイジェストシーン特定手段によって特定された区間の時間を前記閾値別に合計して当該合計時間のそれぞれと指示された時間とを比較し、前記閾値別に特定された区間の組のうち前記合計時間が前記指示された時間以内であるものを、前記テレビジョン放送番組のダイジェストとして選択するダイジェスト選択手段として、コンピュータを機能させる
ことを特徴とするダイジェスト生成プログラム。
【請求項２１】
請求項１５に記載のダイジェスト生成プログラムにおいて、
前記文字数算出手段は、前記テレビジョン放送番組が記憶手段から読み出されて再生されているとき、前記字幕情報を先読みして前記文字数を算出する
ことを特徴とするダイジェスト生成プログラム。
【発明の詳細な説明】
【技術分野】
【０００１】
本発明は、テレビジョン放送番組の記録及び再生に関し、特に、テレビジョン放送番組のダイジェストを生成する技術に関する。
【背景技術】
【０００２】
テレビジョン放送番組を記録及び再生するハードディスクレコーダなどの一部に番組をダイジェストで再生する機能を搭載したものがある。当該装置では、ユーザが指定したジャンルに応じてダイジェストシーンが抽出され再生される。ダイジェスト生成対象となるジャンルは、音楽番組であったり、野球、サッカー、ゴルフなどのスポーツ番組であったりする。例えば、野球であればホームランや三振の場面が、また、サッカーであればゴールに至るまでの場面が、ユーザがダイジェストで視聴したいと思うシーンである。
【０００３】
従来、映像が大きく切り替わる場面や音声レベルが所定値よりも大きくなった場面をダイジェストシーンとして検出している（例えば、特許文献１参照）。
【特許文献１】特開２００５−３４８０７７号公報
【発明の開示】
【発明が解決しようとする課題】
【０００４】
ドラマや映画などのストーリー性を有するジャンルでは、映像が大きく切り替わったり、音声レベルが大きくなったりする場面よりも、登場人物の発話がある場面の方が、番組概要を把握する上で重要となる。したがって、このような会話が番組の内容に対して支配的であるドラマや映画などの放送番組について従来の手法でダイジェストを生成しても、ストーリー把握が困難なものが生成されるおそれがある。
【０００５】
上記問題に鑑み、ドラマや映画などのジャンルのテレビジョン放送番組について、容易にストーリー把握ができるようなダイジェストを生成することを課題とする。
【課題を解決するための手段】
【０００６】
上記課題を解決するために本発明が講じた手段は、字幕情報を含むテレビジョン放送番組のダイジェストを生成する装置として、字幕情報に基づいて、一定時間の区間ごとに当該区間において表示される字幕の文字数を算出する文字数算出部と、算出された文字数と閾値とを比較し、算出された文字数が閾値を超えている区間をテレビジョン放送番組のダイジェストシーンと特定するダイジェストシーン特定部とを備えたものとする。また、字幕情報を含むテレビジョン放送番組のダイジェストを生成する方法として、字幕情報に基づいて、一定時間の区間ごとに当該区間において表示される字幕の文字数を算出する第１のステップと、算出された文字数と閾値とを比較し、算出された文字数が閾値を超えている区間をテレビジョン放送番組のダイジェストシーンと特定する第２のステップとを備えたものとする。
【０００７】
これによると、テレビジョン放送番組の各区間のうち、表示される字幕の文字数が閾値を超えている区間がダイジェストシーンと特定される。すなわち、ドラマや映画などのジャンルのテレビジョン放送番組のストーリーを容易に把握できるようにするための、登場人物の発話がある場面を多く含むシーンが番組全体からまんべんなく抽出されたダイジェストが生成される。
【０００８】
好ましくは、文字数算出部及びダイジェスト選択部は、テレビジョン放送番組が記録されるのと並行して、文字数を算出し、あるいは、特定した区間に係る情報を記録するものとする。第１及び第２のステップについてもこれと同様である。これによると、テレビジョン放送番組の記録後に速やかにダイジェストを再生することができる。
【０００９】
また、好ましくは、文字数算出部は、字幕情報に基づいて発話者を識別し、当該識別した発話者ごとに文字数を算出するものとする。具体的には、文字数算出部は、字幕情報から字幕の文字色に係る情報又は字幕に付された文字情報を取得し、当該文字色に係る情報又は文字情報によって発話者を識別する。そして、ダイジェストシーン特定部は、識別された発話者ごとに算出された文字数と当該発話者に係る閾値とを比較し、識別された発話者のいずれかについての算出された文字数が当該発話者に係る閾値を超えている区間をテレビジョン放送番組のダイジェストシーンと特定する。第１及び第２のステップについてもこれと同様なものとする。これによると、登場人物別に重み付けをしたダイジェストを生成することができる。
【００１０】
また、好ましくは、上記のダイジェスト生成装置は、ダイジェストシーン特定部によって特定された区間の時間を合計して当該合計時間と指示された時間とを比較し、当該比較結果に応じて閾値を変更する閾値設定部を備えたものとする。そして、ダイジェストシーン特定部は、閾値が変更されたとき、区間を再特定するものとする。ダイジェスト生成方法についてもこれと同様である。これによると、指示された時間内に収まるようなダイジェストを生成することができる。
【００１１】
また、好ましくは、ダイジェストシーン特定部は、算出された文字数と複数の閾値のそれぞれとを比較して、当該閾値別に、算出された文字数が当該閾値を超えている区間を特定するものとする。そして、上記のダイジェスト生成装置は、ダイジェストシーン特定部によって特定された区間の時間を閾値別に合計して当該合計時間のそれぞれと指示された時間とを比較し、閾値別に特定された区間の組のうち合計時間が指示された時間以内であるものを、テレビジョン放送番組のダイジェストとして選択するダイジェスト選択部を備えたものとする。ダイジェスト生成方法についてもこれと同様である。これによると、何度も閾値を変更してダイジェストシーンの特定処理を繰り返すことなく、一度の処理で指示された時間条件を満たすダイジェストを生成することができる。
【００１２】
また、好ましくは、文字数算出部は、テレビジョン放送番組が記憶手段から読み出されて再生されているとき、字幕情報を先読みして文字数を算出するものとする。第１のステップについてもこれと同様である。これによると、放送番組全体についてのダイジェストシーンの特定結果を保持する必要がなくなるため、ダイジェストシーンとして特定された区間を一時的に記憶するためのバッファが小さくて済む。
【発明の効果】
【００１３】
本発明によると、ドラマや映画などのジャンルのテレビジョン放送番組について、容易にストーリー把握ができるようなダイジェストを生成することができる。
【発明を実施するための最良の形態】
【００１４】
以下、本発明を実施するための最良の形態について、図面を参照しながら説明する。
【００１５】
（第１の実施形態）
図１は、第１の実施形態に係るテレビジョン放送記録再生装置の構成を示す。アンテナ１０は、テレビジョン放送波（ＲＦ信号）を受信する。チューナ／復調部２０は、ＲＦ信号のチューニング及び復調を行い、トランスポートストリーム（ＴＳ）を出力する。ＴＳは、必要に応じて記憶手段３０に順次記録される。記憶手段３０は、メモリカード、光ディスク、磁気ディスクなどの記録媒体、これら記録媒体を備えた機器、及び有線又は無線のネットワークなどで実現可能である。ＴＳデコーダ４０は、復調されたＴＳあるいは記憶手段３０から読み出したＴＳを解析して、音声、映像、字幕、及びセクション情報などについて、それぞれのＰＥＳを構築する。記憶手段３０にＴＳをそのまま記録するのではなく、音声及び映像ＰＥＳをビットレート変換してから記録するようにしてもよい。ＡＶデコーダ５０は、映像及び音声ＰＥＳを所定のタイミングでデコードして再生可能な形態の音声及び映像データを構築する。
【００１６】
ダイジェスト生成装置６０Ａは、文字数算出部６２、ダイジェストシーン特定部６４及び閾値設定部６６を備えている。文字数算出部６２は、ＴＳデコーダ４０から出力された字幕ＰＥＳから字幕として表示される文字符号データを抽出するとともにその提示開始時刻及び提示終了時刻を算出する。文字符号データは、字幕ＰＥＳのデータ領域に格納された字幕文データから抽出可能である。提示開始時刻は、字幕ＰＥＳのヘッダ領域に含まれているＰＴＳ（Presentation Time Stamp）から取得可能である。提示終了時刻は、字幕文データに含まれている画面消去符号などの提示タイミングを取得することで算出可能である。
【００１７】
文字数算出部６２は、文字符号データの抽出などを行うと、次に、一定時間の区間ごとに表示される字幕の文字数を算出する。算出した各区間の開始及び終了時刻及び算出された文字数は、必要に応じて、記憶手段３０又は図示しないその他のバッファに記録される。図２は、文字数算出部６２によって算出された文字数の時間変化の例を表す。上記区間は、表示される文字数が適度に変化する程度の長さにする必要があるため、一の字幕の表示時間よりも長めに設定する。具体的には２０〜３０秒に設定すればよい。
【００１８】
ドラマや映画では登場人物ごとに異なる文字色で字幕が表示されることがある。このような文字色情報は、通常、字幕ＰＥＳのデータ領域に制御符号として格納されている。また、字幕の冒頭にその字幕の一部として括弧書きで登場人物名が表示されることがある。そこで、文字数算出部６２は、字幕ＰＥＳのデータ領域を解析して文字色情報や括弧書きの文字情報を取得し、これら情報によって発話者を識別して発話者ごとに文字数を算出してもよい。図３は、発話者別に算出された文字数の時間変化の例を示す。この例では、発話者Ａ及びＢが識別され、それぞれの文字数が算出されている。
【００１９】
図１に戻り、ダイジェストシーン特定部６４は、テレビジョン放送番組の各区間について、文字数算出部６２によって算出された文字数と後述する閾値設定部６６によって与えられる閾値とを比較する。そして、算出された文字数が閾値を超えている区間を処理対象のテレビジョン放送番組のダイジェストシーンと特定する。例えば、図２に示した例では、時刻ｔ１からｔ２まで、ｔ３からｔ４まで、ｔ５からｔ６まで、及びｔ７からｔ８までの各区間がダイジェストシーンと特定される。特定結果は、必要に応じて、記憶手段３０又は図示しないその他のバッファに記録される。
【００２０】
文字数算出部６２によって発話者ごとに文字数が算出される場合には、ダイジェストシーン特定部６４は、発話者ごとに、算出された文字数と閾値設定部６６によって与えられるその発話者用の閾値とを比較する。そして、発話者のいずれかについての文字数がその閾値を超えている区間を処理対象のテレビジョン放送番組のダイジェストシーンと特定する。例えば、図３に示した例では、発話者Ａについては、時刻ｔ１からｔ２まで、ｔ４からｔ６まで、ｔ８からｔ１０まで、及びｔ１２からｔ１３までの各区間における文字数が発話者Ａ用の閾値を超えている。一方、発話者Ｂについては、時刻ｔ２からｔ３まで、ｔ５からｔ６まで、ｔ７からｔ８まで、及びｔ９からｔ１１までの各区間における文字数が発話者Ｂ用の閾値を超えている。したがって、時刻ｔ１からｔ３まで、ｔ４からｔ６まで、ｔ７からｔ１１まで、及びｔ１２からｔ１３までの各区間がダイジェストシーンと特定される。
【００２１】
図１に戻り、閾値設定部６６は、ダイジェストシーン特定部６４によって特定された区間の時間を合計して、合計時間と指示されたダイジェスト再生時間とを比較する。そして、合計時間がダイジェスト再生時間を超えているとき、閾値を大きくする。閾値が変更されると、ダイジェストシーン特定部６４は、変更後の閾値を用いて区間特定の処理を再実行する。閾値が大きくなると表示文字数がその閾値を超える区間の数は少なくなり、結果として、該当する区間の合計時間は小さくなる。これにより、ダイジェストを指定時間内に収めることができる。必要であれば、閾値設定部６６は、ダイジェストシーン特定部６４によって特定された区間の合計時間がダイジェスト再生時間を下回っているとき、閾値を小さくしてもよい。これにより、生成されるダイジェストの再生時間を長くすることができる。
【００２２】
文字数算出部６２によって発話者ごとに文字数が算出される場合には、閾値設定部６６は、各発話者用の閾値を独立に又は連動させて変更してもよい。例えば、図３に示した例では、発話者Ａ用の閾値のみを変更してもよいし、発話者Ａ用の閾値を大きく又は小さくし、発話者Ｂ用の閾値を小さく又は大きくするようにしてもよい。また、発話者Ａ及びＢ用の閾値を同じ値又は比率で増減してもよい。
【００２３】
再生制御部７０は、記憶手段３０からのＴＳの読み出しを制御し、ＡＶデコーダ５０から出力された音声及び映像データを再生する。ここで、再生制御部７０は、ダイジェストシーン特定部６４によって特定された区間に相当するＴＳを読み出すように制御する。これにより、テレビジョン放送番組がダイジェストで再生される。
【００２４】
ダイジェストの再生は、記録されたテレビジョン放送番組の全体を解析してから行ってもよいし、字幕情報を先読みしてダイジェストシーン特定部６４で区間特定をしながら行ってもよい。後者の場合、ダイジェストシーン特定部６４の特定結果を一時的に記憶するためのバッファが小さくて済むという利点がある。
【００２５】
以上、本実施形態によると、テレビジョン放送番組において字幕による文字情報が多いシーン、すなわち、会話が多いシーンが番組全体からまんべんなく抽出される。これにより、ドラマや映画などのジャンルの放送番組について、ストーリー把握に優れたダイジェストの生成が可能となる。さらに、発話者ごとに閾値を設定することで、登場人物に重み付けをしたダイジェストを生成することができる。
【００２６】
なお、テレビジョン放送番組の記録と並行して文字数算出部６２及びダイジェストシーン特定部６４を動作させることで、テレビジョン放送番組を記憶手段３０に記録しながらダイジェストを生成することができる。このとき、ダイジェストシーン特定部６４は、ダイジェストシーンと特定した区間を受信中の放送番組と関連付けて記憶手段３０に記録するようにする。これにより、テレビジョン放送番組の記録後に速やかにダイジェストを再生することができる。なお、このようにして生成されるダイジェストについてはその再生時間を調整することができないため、閾値設定部６６は不要となる。
【００２７】
また、閾値設定部６６を省略してダイジェストシーン特定部６４に与えられる閾値を手動で変更してもよい。閾値を小さくすることで、ダイジェスト再生時間が長くなるものの、表示文字数の少ない区間をも含んだ、よりストーリー把握のし易いダイジェストが生成される。一方、閾値を大きくすることで、再生時間の短いダイジェストが生成される。発話者ごとに閾値が存在する場合には各閾値を手動で変更してもよい。
【００２８】
また、字幕に含まれる文字のうち記号、外字、括弧書き部分などはセリフを表記したものではないため、文字数算出部６２はそのようなセリフ以外の文字を除いて文字数を算出するようにしてもよい。これにより、登場人物の発話があるシーンを精度よく抽出することができる。
【００２９】
（第２の実施形態）
図４は、第２の実施形態に係るテレビジョン放送記録再生装置の構成を示す。本実施形態に係る記録再生装置は、第１の実施形態に係る記録再生装置におけるダイジェスト生成装置６０Ａとは異なる構成のダイジェスト生成装置６０Ｂを備えている。以下、第１の実施形態と異なる点についてのみ説明する。
【００３０】
ダイジェストシーン特定部６４は、テレビジョン放送番組の各区間について、文字数算出部６２によって算出された文字数と複数の閾値のそれぞれとを比較する。そして、閾値別に、算出された文字数が閾値を超えている区間を処理対象のテレビジョン放送番組のダイジェストシーンと特定する。図５は、文字数算出部６２によって算出された文字数の時間変化の例を表す。算出された文字数は、例えば、二つの閾値と比較される。ここで、第２閾値は第１閾値よりも大きいものとする。図５に示した例では、算出された文字数は、時刻ｔ１からｔ４まで、ｔ５からｔ８まで、ｔ９からｔ１２まで、及びｔ１３からｔ１５までの各区間で第１閾値を超えており、さらに、時刻ｔ２からｔ３まで、ｔ６からｔ７まで、ｔ１０からｔ１１まで、及びｔ１３からｔ１４までの各区間で第２閾値を超えている。特定結果は、必要に応じて、記憶手段３０又は図示しないその他のバッファに記録される。
【００３１】
図４に戻り、ダイジェスト選択部６８は、ダイジェストシーン特定部６４によって特定された区間の時間を閾値別に合計して、合計時間のそれぞれと指示されたダイジェスト再生時間とを比較する。そして、閾値別に特定された区間の組のうち、その合計時間がダイジェスト再生時間以内であるものをダイジェストとして選択する。例えば、図５に示した例では、ダイジェスト再生時間が大きければ、第１閾値との比較で特定された区間がダイジェストとして選択され得る。一方、ダイジェスト再生時間が小さければ、第２閾値との比較で特定された区間がダイジェストとして選択され得る。再生制御部７０は、ダイジェスト選択部６８によって選択されたダイジェストに係る区間の再生を制御する。
【００３２】
以上、本実施形態によると、ダイジェスト再生時間が指示された場合において、何度も閾値を変更してダイジェストシーンの特定処理を繰り返すことなく、一度の処理で指示された時間条件を満たすダイジェストを生成することができる。これにより、ダイジェスト生成のための処理速度を向上することができる。
【００３３】
なお、便宜のため、デジタル放送番組のダイジェスト生成について説明したが、本発明に係るダイジェスト生成方法は文字多重放送にも適用可能である。
【００３４】
また、文字算出部６２、ダイジェストシーン特定部６４、閾値設定部６６、及びダイジェスト選択部６８の各機能は、コンピュータにダイジェスト生成プログラムを実行させることによって実現可能である。
【産業上の利用可能性】
【００３５】
本発明に係るダイジェスト生成装置は、ドラマや映画などのジャンルのテレビジョン放送番組について、容易にストーリー把握ができるようなダイジェストを生成することができるため、テレビジョン放送記録再生装置の組み込み装置として有用である。
【図面の簡単な説明】
【００３６】
【図１】第１の実施形態に係るテレビジョン放送記録再生装置の構成を示す。
【図２】文字数算出部によって算出された文字数の時間変化の例を表したグラフである。
【図３】発話者別に算出された文字数の時間変化の例を表したグラフである。
【図４】第２の実施形態に係るテレビジョン放送記録再生装置の構成を示す。
【図５】文字数算出部によって算出された文字数の時間変化の例を表したグラフである。
【符号の説明】
【００３７】
３０  記憶手段
６２  文字数算出部
６４  ダイジェストシーン特定部
６６  閾値設定部
６８  ダイジェスト選択部
【図１】
2008306311.tif 000003
【図２】
2008306311.tif 000004
【図３】
2008306311.tif 000005
【図４】
2008306311.tif 000006
【図５】
2008306311.tif 000007